(57)【特許請求の範囲】
【請求項１】
同一方向でスタッキング及び反対方向でネステイング可能で，且つ，クロス積み可能な運搬容器であって，相対する長辺側壁の一方及び相対する短辺側壁の一方に，側壁の外壁に形成された幅広支脚と，該幅広支脚の両側付近の側壁を外側に膨出するようにして形成された，容器の深さのほぼ半分の深さを有する一対の幅狭ポケットとより構成された第１ポケット支脚部を配設するとともに，上記相対する長辺側壁のもう一方及び上記相対する短辺側壁のもう一方に，容器の側壁が外側に膨出するようにして形成された，容器の深さのほぼ半分の深さを有する幅広ポケットと，該幅広ポケットの両側付近に形成された一対の幅狭支脚とより構成される第２ポケット支脚部を配設したことを特徴とする運搬容器。
【請求項２】
幅広支脚及び一対の幅狭支脚を，側壁の高さとほぼ同じ高さに形成し，運搬容器をスタッキングした際に，幅広支脚及び一対の幅狭支脚が，上下方向に連続するようにしたことを特徴とする請求項１に記載の運搬容器。
【請求項３】
長辺側壁側のフランジが当接するとともに，同一方向に併設された複数の容器の上に，上記長辺側壁側に配設されたポケット支脚部と同じポケット支脚部が配設された短辺側壁が位置するように，長辺側壁側のフランジが当接するとともに，同一方向に併設された複数の容器を回転させてクロス積みすることを特徴とする請求項１又は請求項２に記載の運搬容器。
【請求項４】
小型容器及び該小型容器の側壁の長さと短辺側壁が同一寸法で，且つ，長辺側壁の長さが，小型容器の側壁の長さの整数倍である大型或いは中型容器を，互いに，スタッキング或いはネスティング可能としたことを特徴とする請求項１〜請求項３のいずれか１項に記載の運搬容器。
【請求項５】
容器に，容器の所定箇所を識別する印を施したことを特徴とする請求項１〜請求項４のいずれか１項に記載の運搬容器。
【請求項６】
容器を着色することにより，容器の所定箇所を識別することを特徴とする請求項５に記載の運搬容器。
【発明の詳細な説明】
【０００１】
【発明の属する技術分野】
本発明は、空の運搬容器（以下、運搬容器を、単に、「容器」ともいう。）を積み重ねる際には、上に位置する容器が、下に位置する容器に嵌め込まれ、また、内容物が収納された容器を積み重ねる際には、上に位置する容器が、下に位置する容器に嵌め込まれないように積み重ねることが可能な運搬容器に関するものである。
【０００２】
【従来の技術】
容器の側壁の両端部付近に、側壁の内壁に形成された容器の深さのほぼ半分の深さを有するポケットと側壁の外壁に形成された支脚との組み合わせからなるポケット支脚部を、それぞれ、形成した容器が知られている。このような容器は、下に位置する容器と上に位置する容器とが、同じ向きに積み重ねられた際には、下に位置する容器の開口部に形成されたフランジ上に、上に位置する容器の支脚が載置されて、上に位置する容器が、下に位置する容器に嵌め込まれないように積み重ねられる、所謂、スタッキングされ、また、スタッキング状態から、上に位置する容器を、水平面上を１８０度回転させることにより、上に位置する容器の支脚が、下に位置する容器のポケットに挿入されて、上に位置する容器が、下に位置する容器に，ほぼ半分程度，嵌め込まれる、所謂、ネスティングされることになる。
【０００３】
また，平面形状が矩形状の２つの容器を，その長辺側壁が，当接或いは接近するように併設するとともに，その上に，同じく，長辺側壁が，当接或いは接近するように併設された２つの容器を，上に位置する２つの容器の長辺側壁と下に位置する２つの容器の長辺側壁とが，直交するように積み重ねる，所謂，クロス積みが行われている。
【発明が解決しようとする課題】
【０００４】
上に位置する容器の一方を持ち上げるとともに、持ち上げられた側と反対側に位置する支脚を、下に位置する容器のフランジに沿ってスライドさせることにより、上に位置する容器を、下に位置する容器上に積み重ねる，所謂，スライドスタッキングが行われるが、この際に、上に位置する容器の支脚が，下に位置する容器のポケットに嵌まり込み，スライドスタッキングが，スムースに行えないという問題があった。
【０００５】
以下に，図２４〜図２６を用いて，上述した発明が解決しようとする課題について，具体的に説明する。
【０００６】
Ｃ’は，合成樹脂で一体に成形された容器であり，容器Ｃ’は，相対する長辺側壁１ａ’，１ｂ’と相対する短辺側壁２ａ’，２ｂ’と底部３’とを有しており，長辺側壁１ａ’，１ｂ’と短辺側壁２ａ’，２ｂ’の上端には，外方向に延設された水平なフランジ４’が，容器Ｃ’の開口部を囲むように形成されている。
【０００７】
ｐ１’は，一方の長辺側壁１ａ’の両端部付近の側壁が，外側に膨出するようにして形成された，容器Ｃ’の深さのほぼ半分の深さを有するポケットであり，容器Ｃ’の内側及び上部が開放されている。ｓ１’は，ポケットｐ１’より長辺側壁１ａ’の中央寄りで，且つ，ポケットｐ１’に隣接して，長辺側壁１ａ’の外壁に形成された支脚であり，支脚ｓ１’は，少なくとも，底部３’付近の長辺側壁１ａ’の外壁に形成されており，図２４には，長辺側壁１ａ’の高さとほぼ同じ高さを有するとともに，上半分が，ネスティングの際に，下に位置する容器Ｃ’のポケットに挿入される下半分より突出している支脚が示されている。そして，上記のポケットｐ１’と支脚ｓ１’により，第１ポケット支脚部Ａ’が構成されている。
【０００８】
ｓ２’は，もう一方の長辺側壁１ｂ’の外壁の両端部付近に形成された支脚であり，支脚ｓ２’は，少なくとも，底部３’付近の長辺側壁１ｂ’の外壁に形成されており，図２４には，上述した支脚ｓ１’と同様に，長辺側壁１ｂ’の高さとほぼ同じ高さを有するとともに，上半分が，ネスティングの際に，下に位置する容器Ｃ’のポケットに挿入される下半分より突出している支脚が示されている。ｐ２’は，支脚ｓ２’より長辺側壁１ｂ’の中央寄りで，且つ，支脚ｓ２’に隣接するとともに，側壁が，外側に膨出するようにして形成された，容器Ｃ’の深さのほぼ半分の深さを有するポケットであり，容器Ｃ’の内側及び上部が開放されている。上記の支脚ｓ２’とポケットｐ２’により，第２ポケット支脚部Ｂ’が構成されている。
【０００９】
一方の長辺側壁１ａ’の両端部付近に形成された第１ポケット支脚部Ａ’と，もう一方の長辺側壁１ｂ’の外壁の両端部付近に形成された第２ポケット支脚部Ｂ’は，長辺側壁１ａ’，１ｂ’に平行な容器Ｃ’の中心線に対して線対称に配置されている。第１ポケット支脚部Ａ’のポケットｐ１’は，第２ポケット支脚部Ｂ’のポケットｐ２’より，幅が広く，また，第２ポケット支脚部Ｂ’の支脚ｓ２’は，第１ポケット支脚部Ａ’の支脚ｓ１’より，幅が広く形成されており，ネスティングの際に，第１ポケット支脚部Ａ’のポケットｐ１’に，第２ポケット支脚部Ｂ’の支脚ｓ２’が挿入され，また，第２ポケット支脚部Ｂ’のポケットｐ２’に，第１ポケット支脚部Ａ’の支脚ｓ１’が挿入されるように構成されている。そして，第２ポケット支脚部Ｂ’の支脚ｓ２’の幅は，第２ポケット支脚部Ｂ’のポケットｐ２’の幅より広く形成されている。
【００１０】
下に位置する容器Ｃ’と上に位置する容器Ｃ’とが、同じ向き，例えば，第１ポケット支脚部Ａ’が配設された長辺側壁１ａ’が，共に，同じ側に位置するように積み重ねられた際には、下に位置する容器Ｃ’のフランジ４’上に、上に位置する容器Ｃ’の支脚ｓ１’，ｓ２’が載置されて、上に位置する容器Ｃ’が、下に位置する容器Ｃ’に嵌め込まれないように積み重ねられる、所謂、スタッキングされ、また、スタッキング状態から、上に位置する容器Ｃ’を、水平面上を１８０度回転させることにより、上に位置する容器Ｃ’の第１ポケット支脚部Ａ’の支脚ｓ１’が，下に位置する容器Ｃ’の第２ポケット支脚部Ｂ’のポケットｐ２’に挿入され，また，上に位置する容器Ｃ’の第２ポケット支脚部Ｂ’の支脚ｓ２’が，下に位置する容器Ｃ’の第１ポケット支脚部Ａ’のポケットｐ１’に挿入されて，上に位置する容器Ｃ’が、下に位置する容器Ｃ’に，ほぼ半分程度，嵌め込まれる、所謂、ネスティングされるように構成されている。
【００１１】
スライドスタッキングする際には，下に位置する容器Ｃ’と上に位置する容器Ｃ’とが、同じ向き，例えば，第１ポケット支脚部Ａ’が配設された長辺側壁１ａ’が，共に，同じ側に位置するように配置するとともに，上に位置する容器Ｃ’の一方の第１ポケット支脚部Ａ’の支脚ｓ１’と第２ポケット支脚部Ｂ’の支脚ｓ２’とを，下に位置する容器Ｃ’の一方の短辺側壁２ｂ’側に位置するフランジ４’上に載置する。次いで，上記支脚ｓ１’，ｓ２’を，下に位置する容器Ｃ’の長辺側壁１ａ’，１ｂ’側のフランジ４’上を，下に位置する容器Ｃ’の一方の短辺側壁２ａ’方向にスライドさせることにより，下に位置する容器Ｃ’上に，上に位置する容器Ｃ’を積み重ねるが，図２６に示されているように，上に位置する容器Ｃ’の第１ポケット支脚部Ａ’の支脚ｓ１’は，その幅が狭く，且つ，下に位置する容器Ｃ’の第１ポケット支脚部Ａ’のポケットｐ１’の幅は広く形成されているので，スライドスタッキングの際に，上に位置する容器Ｃ’に配設された第１ポケット支脚部Ａ’の支脚ｓ１’が，下に位置する容器Ｃ’に配設された第１ポケット支脚部Ａ’のポケットｐ１’に深く落ち込んで，スライドスタッキングが行えないという問題があった。なお，上に位置する容器Ｃ’の第２ポケット支脚部Ｂ’の支脚ｓ２’は，その幅が広く，また，下に位置する容器Ｃ’の第２ポケット支脚部Ｂ’のポケットｐ１’の幅は狭く形成されているので，上に位置する容器Ｃ’の第２ポケット支脚部Ｂ’の支脚ｓ２’が，下に位置する容器Ｃ’の第２ポケット支脚部Ｂ’のポケットｐ１’に落ち込むようなことがないように構成されている。
【００１２】
また，平面形状が矩形状の２つの容器を，その長辺側壁が，当接或いは接近するように併設するとともに，その上に，同じく，長辺側壁が，当接或いは接近するように併設された２つの容器を，下に位置する２つの容器の長辺側壁と下に位置する２つの容器の長辺側壁とが，直交するように積み重ねる，即ち，クロス積みすると，上に位置する容器が，がたついて，安定してクロス積みすることができないという問題があった。
【００１３】
本発明の目的は，上述した従来の運搬容器が有する課題を解決するとともに，多数の容器を縦方向にスタッキングした際に，即ち，段積みした際に，安定した状態で段積みすることが可能な運搬容器を提供することにある。
【００１４】
【課題を解決するための手段】
本発明は、上述した目的を達成するために、第１には、同一方向でスタッキング及び反対方向でネステイング可能で，且つ，クロス積み可能な運搬容器であって，相対する長辺側壁の一方及び相対する短辺側壁の一方に，側壁の外壁に形成された幅広支脚と，該幅広支脚の両側付近の側壁を外側に膨出するようにして形成された，容器の深さのほぼ半分の深さを有する一対の幅狭ポケットとより構成された第１ポケット支脚部を配設するとともに，上記相対する長辺側壁のもう一方及び上記相対する短辺側壁のもう一方に，容器の側壁が外側に膨出するようにして形成された，容器の深さのほぼ半分の深さを有する幅広ポケットと，該幅広ポケットの両側付近に形成された一対の幅狭支脚とより構成される第２ポケット支脚部を配設したものであり，第２には，幅広支脚及び一対の幅狭支脚を，側壁の高さとほぼ同じ高さに形成し，運搬容器をスタッキングした際に，幅広支脚及び一対の幅狭支脚が，上下方向に連続するようにしたものであり，第３には，長辺側壁側のフランジが当接するとともに，同一方向に併設された複数の容器の上に，短辺側壁のポケット支脚部と同一のポケット支脚部を有する長辺側壁方向へ９０度回転させた状態の複数の容器を載置することによりクロス積みするようにしたものであり，第４には，小型容器及び該小型容器の側壁の長さと短辺側壁が同一寸法で，且つ，長辺側壁の長さが，小型容器の側壁の長さの整数倍である大型或いは中型容器を，互いに，スタッキング或いはネスティング可能としたものであり，第５には，容器に，容器の所定箇所を識別する印を施したものであり，第６には，容器を着色することにより，容器の所定箇所を識別するようにしたものである。
【００１５】
【実施例】
以下に、本発明の実施例について説明するが、本発明の趣旨を越えない限り何ら、本実施例に限定されるものではない。
【００１６】
図１において，Ｃは，合成樹脂で一体に成形された容器であり，容器Ｃは，相対する長辺側壁１ａ，１ｂと相対する短辺側壁２ａ，２ｂと底部３とを有しており，長辺側壁１ａ，１ｂと短辺側壁２ａ，２ｂの上端には，外方向に延設された水平なフランジ４が，容器Ｃの開口部を囲むように形成されている。
【００１７】
次に，図３及び図４を用いて，本実施例において，側壁に配設されるポケット支脚部について説明する。なお，後述するように，ポケット支脚部は，長辺側壁１ａ，１ｂに限らず，短辺側壁２ａ，２ｂにも配設することができるので，ポケット支脚部の構成を説明する際には，長辺側壁１ａ，１ｂ及び短辺側壁２ａ，２ｂを，単に，側壁と称し，符号１を付した。
【００１８】
図３において，ｓ１は，側壁１の外壁に形成された，後述するもう一方のポケット支脚部を構成する支脚より幅が広い幅広支脚であり，幅広支脚ｓ１は，少なくとも，底部３付近の側壁１の外壁に形成されており，図３には，側壁１の高さとほぼ同じ高さを有するとともに，上半分が，ネスティングの際に，下に位置する容器のポケットに挿入される下半分より突出している支脚が示されている。ｐ１は，幅広支脚ｓ１の両側付近の側壁１を，外側に膨出するようにして形成された，容器の深さのほぼ半分の深さを有するとともに，後述するもう一方のポケット支脚部を構成するポケットより幅が狭い幅狭ポケットであり，該幅狭ポケットｐ１は，容器の内側及び上部が開放されている。上記のように，幅広支脚ｓ１と該幅広支脚ｓ１の両側に形成された一対の幅狭ポケットｐ１により，第１ポケット支脚部Ａが構成されている。
【００１９】
図４において，ｐ２は，容器の側壁１が外側に膨出するようにして形成された，容器の深さのほぼ半分の深さを有するとともに，容器の内側及び上部が開放された，上述した第１ポケット支脚部Ａを構成する幅狭ポケットｐ１より幅が広い，幅広ポケットである。ｓ２は，幅広ポケットｐ２の両側で，幅広ポケットｐ２に接近するように，側壁１の外壁に形成された，上述した第１ポケット支脚部Ａを構成する幅広支脚ｓ１より幅が狭い一対の幅狭支脚であり，幅狭支脚ｓ２は，少なくとも，底部３付近の側壁１の外壁に形成されており，図４には，側壁１の高さとほぼ同じ高さを有するとともに，上半分が，ネスティングの際に，下に位置する容器のポケットに挿入される下半分より突出している支脚が示されている。上記のように，幅広ポケットｐ２と該幅広ポケットｐ２の両側に形成された，一対の幅狭支脚ｓ２により，第２ポケット支脚部Ｂが構成されている。
【００２０】
図５に示されているように，容器を上下に積み重ねた際に，下に位置する容器Ｃ１に配設された第１ポケット支脚部Ａと，上に位置する容器Ｃ２に配設された第１ポケット支脚部Ａとが上下方向に一致した場合には，下に位置する容器Ｃ１のフランジ４上に，上に位置する容器Ｃ２に配設された第１ポケット支脚部Ａの幅広支脚ｓ１が載置されるように構成されている。同様に，図６に示されているように，容器を上下に積み重ねた際に，下に位置する容器Ｃ１に配設された第２ポケット支脚部Ｂと，上に位置する容器Ｃ２に配設された第２ポケット支脚部Ｂとが上下方向に一致した場合には，下に位置する容器Ｃ１のフランジ４上に，上に位置する容器Ｃ２に配設された第２ポケット支脚部Ｂの一対の幅狭支脚ｓ２が載置されるように構成されている。
【００２１】
また，図７に示されているように，容器を上下に積み重ねた際に，下に位置する容器Ｃ１に配設された第１ポケット支脚部Ａと，上に位置する容器Ｃ２に配設された第２ポケット支脚部Ｂとが上下方向に一致した場合には，下に位置する容器Ｃ１に配設された第１ポケット支脚部Ａの一対の幅狭ポケットｐ１に，上に位置する容器Ｃ２に配設された第２ポケット支脚部Ｂの一対の幅狭支脚ｓ２が挿入されるように構成されている。同様に，図８に示されているように，容器を上下に積み重ねた際に，下に位置する容器Ｃ１に配設された第２ポケット支脚部Ｂと，上に位置する容器Ｃ２に配設された第１ポケット支脚部Ａとが上下方向に一致した場合には，下に位置する容器Ｃ１に配設された第２ポケット支脚部Ｂの幅広ポケットｐ２に，上に位置する容器Ｃ２に配設された第１ポケット支脚部Ａの幅広支脚ｓ１が挿入されるように構成されている。なお，第１ポケット支脚部Ａの幅広支脚ｓ１の幅は，該第１ポケット支脚部Ａの幅狭ポケットｐ１の幅より広く形成されている。
【００２２】
上述した構成を有する第１ポケット支脚部Ａと第２ポケット支脚部Ｂとの配置の一例を，図１及び図２を用いて説明する。
【００２３】
この実施例においては，一方の長辺側壁１ａの両端部付近には，第２ポケット支脚部Ｂが配置され，そして，もう一方の長辺側壁１ｂの両端部付近には，第１ポケット支脚部Ａが配置されいる。そして，長辺側壁１ａに配設された第２ポケット支脚部Ｂと長辺側壁１ｂに配設された第１ポケット支脚部Ａとは，長辺側壁１ａ，１ｂに平行な容器Ｃの中心線に対して線対称に配置されている。
【００２４】
下に位置する容器Ｃ１と上に位置する容器Ｃ２とが、同じ向き，例えば，第１ポケット支脚部Ａが配設された長辺側壁１ｂが，共に，同じ側に位置するように積み重ねられた際には、図５及び図６に示されているように，下に位置する容器Ｃ１のフランジ４上に、上に位置する容器Ｃ２に配設された第１ポケット支脚部Ａの幅広支脚ｓ１及び第２ポケット支脚部Ｂの一対の幅狭支脚ｓ２が載置されて、上に位置する容器Ｃ２が、下に位置する容器Ｃ１に嵌め込まれないように積み重ねられる、所謂、スタッキングされることになる。また、上記のスタッキング状態から、上に位置する容器Ｃ２或いは下に位置する容器Ｃ１を、水平面上を１８０度回転させることにより、図７に示されているように，上に位置する容器Ｃ２の第２ポケット支脚部Ｂの一対の幅狭支脚ｓ２が，下に位置する容器Ｃ１の第１ポケット支脚部Ａの一対の幅狭ポケットｐ１に挿入され，また，図８に示されているように，上に位置する容器Ｃ２の第１ポケット支脚部Ａの幅広支脚ｓ１が，下に位置する容器Ｃ１の第２ポケット支脚部Ｂの幅広ポケットｐ２に挿入されて，上に位置する容器Ｃ２が、下に位置する容器Ｃ１に，ほぼ半分程度，嵌め込まれる、所謂、ネスティングされることになる。
【００２５】
次に，図９及び図１０を用いて，下に位置する容器Ｃ１のフランジ４上に，上に位置する容器Ｃ２の幅広支脚ｓ１及び幅狭支脚ｓ２を載置するとともに，上に位置する容器Ｃ２の幅広支脚ｓ１及び幅狭支脚ｓ２を，下に位置する容器Ｃ１のフランジ４上をスライドさせながら，上に位置する容器Ｃ２を移動させるようにして容器をスタッキングさせる，所謂，スライドスタッキング作業について説明する。
【００２６】
先ず最初に，図９に示されているように，上に位置する容器Ｃ２の長辺側壁１ａ，１ｂの端部付近に配設された第１ポケット支脚部Ａの幅広支脚ｓ１及び第２ポケット支脚部Ｂの一対の幅狭支脚ｓ２のうちスライド方向前方に位置する幅狭支脚ｓ２（図９において，上に位置する容器Ｃ２の左端に位置する幅狭支脚ｓ２で，以下，単に，「スライド方向前方の幅狭支脚」という。また，該スライド方向前方の幅狭支脚の直ぐ後方に位置する幅狭支脚ｓ２を，単に，「スライド方向後方の幅狭支脚」という。）のスライド方向前方の角部を，図９において，下に位置する容器Ｃ１に配設された一対の第２ポケット支脚部Ｂのうち，右側に位置する第２ポケット支脚部Ｂの幅広ポケットｐ２より，右側に位置するフランジ４に載置する。
【００２７】
次いで，上に位置する容器Ｃ２の下に位置する容器Ｃ１のフランジ４に載置されたスライド方向前方の幅狭支脚ｓ２に対して反対側に位置する短辺側壁２ｂを上方に持ち上げた状態で，上に位置する容器Ｃ２を，下に位置する容器Ｃ１の一方の短辺側壁２ａ方向に移動させると，上に位置する容器Ｃ２の第２ポケット支脚部Ｂの一対の幅狭支脚ｓ２のうち，スライド方向前方の幅狭支脚ｓ２の下端部は，下に位置する容器Ｃ１に配設された右側に位置する第２ポケット支脚部Ｂの幅広ポケットｐ２に嵌まり込むが，上に位置する容器Ｃ２のスライド方向前方の幅狭支脚ｓ２が，下に位置する容器Ｃ１に配設された右側に位置する第２ポケット支脚部Ｂの幅広ポケットｐ２のスライド方向側，即ち，左側の側壁ｗ１に当接する前に，上に位置する容器Ｃ２のスライド方向後方の幅狭支脚ｓ２が，下に位置する容器Ｃ２のフランジ４に載置されるように構成されているので，上に位置する容器Ｃ２のスライド方向前方の幅狭支脚ｓ２が，下に位置する容器Ｃ２に配設された右側に位置する第２ポケット支脚部Ｂの幅広ポケットｐ２に深く嵌まり込むことがないので，上に位置する容器Ｃ２を，下に位置する容器Ｃ１の短辺側壁２ａ方向に大きな抵抗を生じることなく移動させることができ，スムースなスライドスタッキングを行うことができる。
【００２８】
上に位置する容器Ｃ２の長辺側壁１ｂの端部付近に配設された第１ポケット支脚部Ａの幅広支脚ｓ１は，スライドスタッキングの際には，下に位置する容器Ｃ１の該幅広支脚ｓ１の幅より狭い幅を有する第１ポケット支脚部Ａの幅狭ポケットｐ１を通過するので，該幅狭ポケットｐ１に嵌まり込むようなことがないので，スムースなスライドスタッキングの障害になるようなことがない．
【００２９】
同様に，上に位置する容器Ｃ２のスライド方向前方の幅狭支脚ｓ２が，下に位置する容器Ｃ１に配設された左側に位置する第２ポケット支脚部Ｂの幅広ポケットｐ２のスライド方向側，即ち，左側の側壁ｗ１に当接する前に，上に位置する容器Ｃ２のスライド方向後方の幅狭支脚ｓ２が，下に位置する容器Ｃ２のフランジ４に載置されるように構成されているので，上に位置する容器Ｃ２のスライド方向前方の幅狭支脚ｓ２が，下に位置する容器Ｃ２に配設された左側に位置する第２ポケット支脚部Ｂの幅広ポケットｐ２に深く嵌まり込むことがないので，上に位置する容器Ｃ２を，下に位置する容器Ｃ１の短辺側壁２ａ方向に大きな抵抗を生じることなく移動させることができ，スムースなスライドスタッキングを行うことができる。
【００３０】
上述したように，幅広支脚ｓ１と該幅広支脚ｓ１の両側に形成された一対の幅狭ポケットｐ１により第１ポケット支脚部Ａを構成するとともに，幅広ポケットｐ２と該幅広ポケットｐ２の両側に形成された，一対の幅狭支脚ｓ２により，第２ポケット支脚部Ｂを構成したので，スムースなスライドスタッキングを行うことができる。
【００３１】
また，幅広ポケットｐ２の両側に，一対の幅狭支脚ｓ２を形成するとともに，幅広支脚ｓ１及び一対の幅狭支脚ｓ２を，側壁の高さとほぼ同じ高さに形成し，多数の容器Ｃをスタッキングした際に，図５及び図６に示されているように，幅広支脚ｓ１及び一対の幅狭支脚ｓ２が，上下方向に連続するように構成したので，容器を多段に積み重ねた際に，幅広支脚ｓ１或いは幅狭支脚ｓ２が変形したり，座屈を起こすようなことがなく，従って，安定した状態で，多数の容器を多段に積み重ねることができる。
【００３２】
なお，図１１に示されている実施例は，上述した長辺側壁１ａ，１ｂに第１ポケット支脚部Ａと第２ポケット支脚部Ｂを配設したと同様に，短辺側壁２ａ，２ｂにも第１ポケット支脚部Ａと第２ポケット支脚部Ｂを配設したものである。この場合にも，一方の短辺側壁２ａの両端部付近に第１ポケット支脚部Ａを配設するとともに，もう一方の短辺側壁２ｂの両端部付近に第２ポケット支脚部Ｂを配設する。第１ポケット支脚部Ａと第２ポケット支脚部Ｂとは，短辺側壁２ａ，２ｂに平行な容器Ｃの中心線に対して線対称に配置される。
【００３３】
次に，図１２〜図１９を用いて，本発明の運搬容器の別の実施例について説明する。なお，図中において，大きな×印は，幅広支脚ｓ１を，小さな×印は，幅狭支脚ｓ２を，大きな四角は，幅広ポケットｐ２を，そして，小さな四角は，幅狭ポケットｐ１を表す。従って，大きな×印を挟んで２つの小さな四角がある印は，図３に示されている第１ポケット支脚部Ａを表し，また，大きな四角を挟んで２つの小さな×印がある印は，図４に示されている第２ポケット支脚部Ｂを表している。
【００３４】
図１２に示されている容器Ｃ３（以下，大型容器という。）は，一方の長辺側壁１ａの両端部付近に，それぞれ第２ポケット支脚部Ｂを配設するとともに，長辺側壁１ａの垂直中心線を挟んで，それぞれ第２ポケット支脚部Ｂを配設したもので，長辺側壁１ａには，合計４つの第２ポケット支脚部Ｂが配設されている。もう一方の長辺側壁１ｂの両端部付近に，それぞれ第１ポケット支脚部Ａを配設するとともに，長辺側壁１ｂの垂直中心線を挟んで，それぞれ第１ポケット支脚部Ａを配設したもので，長辺側壁１ｂには，合計４つの第１ポケット支脚部Ａが配設されている。そして，長辺側壁１ａに配設された４個の第２ポケット支脚部Ｂと長辺側壁１ｂに配設された４つの第１ポケット支脚部Ａとは，長辺側壁１ａ，１ｂに平行な容器Ｃの中心線に対して線対称に配置されている。
【００３５】
また，一方の短辺側壁２ａの両端部付近に，それぞれ第１ポケット支脚部Ａを配設するとともに，もう一方の短辺側壁２ｂの両端部付近には，第２ポケット支脚部Ｂが配設されている。そして，短辺側壁２ａに配設された２つの第１ポケット支脚部Ａと短辺側壁２ｂに配設された２つの第２ポケット支脚部Ｂとは，短辺側壁２ａ，２ｂに平行な容器の中心線に対して線対称に配置されている。
【００３６】
長辺側壁１ｂの両端部付近に配設された第１ポケット支脚部Ａと，長辺側壁１ｂの垂直中心線側に配設された第１ポケット支脚部Ａとの間隔ｄ（一方の第１ポケット支脚部Ａの幅広支脚ｓ１の垂直中心線と，もう一方の第１ポケット支脚部Ａの幅広支脚ｓ１の垂直中心線との間隔をいう。以下，同じ。）は，同じであり，また，短辺側壁２ａの両端部付近に配設された第１ポケット支脚部Ａの間隔ｄも同じである。同様に，長辺側壁１ａの両端部付近に配設された第２ポケット支脚部Ｂと，長辺側壁１ａの垂直中心線側に配設された第２ポケット支脚部Ｂとの間隔ｄ（一方の第２ポケット支脚部Ｂの幅広ポケットｐ２の垂直中心線と，もう一方の第２ポケット支脚部Ｂの幅広ポケットｐ２の垂直中心線との間隔をいう。以下，同じ。）は，同じであり，また，短辺側壁２ｂの両端部付近に配設された第２ポケット支脚部Ｂの間隔ｄも同じである。更に，第１ポケット支脚部Ａ間の間隔ｄと，第２ポケット支脚部Ｂ間の間隔ｄも同じになるように構成されている。
【００３７】
更に，この実施例においては，長辺側壁１ａ，１ｂの長さは，短辺側壁２ａ，２ｂの長さに２倍になるように構成されているとともに，底部３の短辺側壁２ａ，２ｂに平行な中央部には，フランジ４のほぼ２倍の幅を有する凹溝５が形成されている。
【００３８】
図１３に示されている容器Ｃ４は，図１２に示されている容器の短辺側壁２ａ，２ｂの長さを，側壁６の長さとする，平面形状が正方形の小型容器であり，小型容器Ｃ４の一方の相対する側壁６ａ，６ｂのうち一方の側壁６ａの両端部付近には，第２ポケット支脚部Ｂが配設されており，また，もう一方の側壁６ｂの両端部付近には，第１ポケット支脚部Ａが配設されている。そして，小型容器Ｃ４のもう一方の相対する側壁６ｃ，６ｄのうち一方の側壁６ｃの両端部付近には，第１ポケット支脚部Ａが配設されており，また，もう一方の側壁６ｄの両端部付近には，第２ポケット支脚部Ｂが配設されている。
【００３９】
小型容器Ｃ４の各側壁６ｂ，６ｃに配設された一対の第１ポケット支脚部Ａの間隔は，互いに同じであり，また，小型容器Ｃ４の各側壁６ａ，６ｄに配設された一対の第２ポケット支脚部Ｂの間隔も，互いに同じであり，且つ，上記の一対の第１ポケット支脚部Ａ間の間隔と，上記の一対の第２ポケット支脚部Ｂ間の間隔も同じになるように構成されている。
【００４０】
また，大型容器Ｃ３の上述した第１ポケット支脚部Ａ間の間隔ｄ及び第２ポケット支脚部Ｂ間の間隔ｄと，小型容器Ｃ４の上述した第１ポケット支脚部Ａ間の間隔及び第２ポケット支脚部Ｂ間の間隔とは，全て同じになるように構成されている。
【００４１】
次に，図１４及び図１５を用いて，大型容器Ｃ３同士のスタッキング及びネスティングについて説明する。
【００４２】
図１４に示されている大型容器Ｃ３の上に，図１５に示されている大型容器Ｃ３を載せた場合には，下に位置する大型容器Ｃ３の第１ポケット支脚部Ａの上に，上に位置する大型容器Ｃ３の第２ポケット支脚部Ｂが位置し，また，下に位置する大型容器Ｃ３の第２ポケット支脚部Ｂの上に，上に位置する大型容器Ｃ３の第１ポケット支脚部Ａが位置することになるので，大型容器Ｃ３同士がネスティングされることになる。また，図１５に示されている大型容器Ｃ３を，水平面上を１８０度回転させた後に，図１４に示されている大型容器Ｃ３の上に載せた場合には，下に位置する大型容器Ｃ３の第１ポケット支脚部Ａの上に，上に位置する大型容器Ｃ３の第１ポケット支脚部Ａが位置し，また，下に位置する大型容器Ｃ３の第２ポケット支脚部Ｂの上に，上に位置する大型容器Ｃ３の第２ポケット支脚部Ｂが位置することになるので，大型容器Ｃ３同士がスタッキングされることになる。また，このように，１つ側壁に多数のポケット支脚部を設けても，ネスティング状態となり落ち込むことがないので，スライドスタッキングが可能となる。
【００４３】
次に，図１６を用いて，小型容器Ｃ４同士のスタッキング及びネスティングについて説明する。
【００４４】
図１６の左側に示されている小型容器Ｃ４の上に，右側に示されている小型容器Ｃ４を載せた場合には，下に位置する小型容器Ｃ４の第１ポケット支脚部Ａの上に，上に位置する小型容器Ｃ４の第１ポケット支脚部Ａが位置し，また，下に位置する小型容器Ｃ４の第２ポケット支脚部Ｂの上に，上に位置する小型容器Ｃ４の第２ポケット支脚部Ｂが位置することになるので，小型容器Ｃ３同士がスタッキングされることになる。また，右側に示されている小型容器Ｃ４を，水平面上を１８０度回転させた後に，左側に示されている小型容器Ｃ４の上に載せた場合には，下に位置する小型容器Ｃ４の第１ポケット支脚部Ａの上に，上に位置する小型容器Ｃ４の第２ポケット支脚部Ｂが位置し，また，下に位置する小型容器Ｃ４の第２ポケット支脚部Ｂの上に，上に位置する小型容器Ｃ４の第１ポケット支脚部Ａが位置することになるので，小型容器Ｃ４同士がネスティングされることになる。
【００４５】
次に，図１４及び図１６を用いて，大型容器Ｃ３と小型容器Ｃ４とのスタッキング及びネスティングについて説明する。
【００４６】
図１４に示されている大型容器Ｃ３の上に，図１６に示されている何方か一方の小型容器Ｃ４を載せた場合には，下に位置する大型容器Ｃ３の第１ポケット支脚部Ａの上に，上に位置する小型容器Ｃ４の第１ポケット支脚部Ａが位置し，また，下に位置する大型容器Ｃ３の第２ポケット支脚部Ｂの上に，上に位置する小型容器Ｃ４の第２ポケット支脚部Ｂが位置することになるので，大型容器Ｃ３に，小型容器Ｃ４がスタッキングされることになる。また，実施例では，大型容器Ｃ３上に，小型容器Ｃ４が２つ並べて積載できるが，小型容器Ｃ４が，単独で積載された場合，小型容器Ｃ４が，大型容器Ｃ３上を長辺側壁１ａ，１ｂ方向にずれることがなるが，この場合も，小型容器Ｃ４が，大型容器Ｃ３に落ち込む心配がない。そして，小型容器Ｃ４を，スタッキング状態から，水平面上を１８０度回転させた後に，大型容器Ｃ３の上に載せた場合には，下に位置する大型容器Ｃ３の第１ポケット支脚部Ａの上に，上に位置する小型容器Ｃ４の第２ポケット支脚部Ｂが位置し，また，下に位置する大型容器Ｃ３の第２ポケット支脚部Ｂの上に，上に位置する小型容器Ｃ４の第１ポケット支脚部Ａが位置することになるので，大型容器Ｃ３内に，小型容器Ｃ４がネスティングされることになる。そして，上述したように，大型容器Ｃ３の長辺側壁１ａ，１ｂの長さは，短辺側壁２ａ，２ｂの長さに２倍になるように構成されているとともに，小型容器Ｃ４は，大型容器Ｃ３の短辺側壁２ａ，２ｂの長さを，その側壁６の長さとする，平面形状が正方形に形成されているので，大型容器Ｃ３には，２つの小型容器Ｃ４が，スタッキング或いはネスティングできるように構成されている。また，大型容器Ｃ３の長辺側壁１ａ，１ｂの両端を除く，中央寄りのポケット支脚部Ａ，Ａ，Ｂ，Ｂは，基本的にポケットのみで，支脚が無くても使用できるが，支脚を設けた方が，安定よくスタッキングでき，望ましい。
【００４７】
次に，図１７及び図１８を用いて，上述した大型容器Ｃ３をクロス積みする場合について説明する。
【００４８】
図１７には，長辺側壁１ａ，１ｂ側のフランジ４が当接するとともに，同一方向，例えば，第１ポケット支脚部Ａが配設されている長辺側壁１ｂが，上方に位置するように配置された，クロス積みの際に，下に位置する２つの大型容器Ｃ３が示されている。また，図１８には，図１７に示されている２つの大型容器Ｃ３を，時計方向に９０度回転させた，クロス積みの際に，上に位置する２つの大型容器Ｃ３が示されている。このように配置された図１８に示されている２つの大型容器Ｃ３を，そのままの状態を保って，図１７に示されている２つの大型容器Ｃ３の上に載置して，下に位置する２つの大型容器Ｃ３の長辺側壁１ａ，１ｂと上に位置する２つの大型容器Ｃ３の長辺側壁１ａ，１ｂとが直交するように積む，即ち，クロス積みすることが行われる。
【００４９】
この際，図１２に示されているように，大型容器Ｃ３の底部３の裏面には，フランジ４のほぼ２倍の幅を有する凹溝５が設けられているので，上に位置する大型容器Ｃ３の凹溝５に，下に位置する大型容器Ｃ３のフランジ４が挿入されることになる。凹溝５が形成されていない場合には，上に位置する大型容器Ｃ３の底部３が，下に位置する大型容器Ｃ３のフランジ４上に載置されるために，上に位置する大型容器Ｃ３が，下に位置する大型容器Ｃ３のフランジ４上に載置された底部３を中心に，シーソーのように，長辺側壁１ａ，１ｂ方向に沿って揺らぐことになる。
【００５０】
上述したように，長辺側壁１ａ，１ｂ側のフランジ４が当接するとともに，同一方向に併設された２つの大型容器Ｃ３の上に，該２つの大型容器Ｃ３を時計方向に９０度回転させた状態の２つの大型容器Ｃ３を載置すると，上に位置する大型容器Ｃ３の短辺側壁２ａの第１ポケット支脚部Ａの下には，下に位置する大型容器Ｃ３の長辺側壁１ｂに配設された第１ポケット支脚部Ａが位置するとともに，上に位置する大型容器Ｃ３の短辺側壁２ｂの第２ポケット支脚部Ｂの下には，下に位置する大型容器Ｃ３の長辺側壁１ａに配設された第２ポケット支脚部Ｂが位置するので，即ち，図５及び図６に示されているように，スタッキング状態に配置されるので，上に位置する大型容器Ｃ３の角部が，上下方向にふらつくようなことがなく，安定した状態で，多段にクロス積みを行うことができる。また，クロス積みされた上に位置する大型容器Ｃ３が，単独の場合，下に位置する容器の長辺側壁１ａ，１ｂ方向にずれることになるが，この場合も，第１ポケット支脚部Ａ及び第２ポケット支脚部Ｂが，常に，スタッキング状態に配置されているので，落ち込む心配がない。
【００５１】
一方，長辺側壁１ａ，１ｂ側のフランジ４が当接するとともに，同一方向に併設された２つの大型容器Ｃ３の上に，該２つの大型容器Ｃ３を反時計方向に９０度回転させた状態の２つの大型容器Ｃ３を載置すると，上に位置する大型容器Ｃ３の短辺側壁２ａの第１ポケット支脚部Ａの下には，下に位置する大型容器Ｃ３の長辺側壁１ａに配設された第２ポケット支脚部Ｂが位置するとともに，上に位置する大型容器Ｃ３の短辺側壁２ｂの第２ポケット支脚部Ｂの下には，下に位置する大型容器Ｃ３の長辺側壁１ｂに配設された第１ポケット支脚部Ａが位置するので，即ち，図７及び図８に示されているように，ネスティング状態に配置されるので，上に位置する大型容器Ｃ３の短辺側壁２ａ，２ｂに配設された第１ポケット支脚部Ａの幅広支脚ｓ１の下端部及び第２ポケット支脚部Ｂの幅狭支脚ｓ２の下端部が，下に位置する大型容器Ｃ３の長辺側壁１ａ，１ｂに配設された第２ポケット支脚部Ｂの広幅ポケットｐ２及び第１ポケット支脚部Ａの幅狭ポケットｐ１に入り込み，上に位置する大型容器Ｃ３の角部が，上下方向にふらついて，多段にクロス積みされた容器が不安定になる。
【００５２】
なお，上述したように，第１ポケット支脚部Ａと第２ポケット支脚部Ｂとが，ネスティング状態に配置される場合でも，例えば，図１９に示されているように，下に位置する第２ポケット支脚部Ｂの幅広ポケットｐ２に，上に位置する第１ポケット支脚部Ａの幅広支脚ｓ１が挿入されないように，第１ポケット支脚部Ａの幅広支脚ｓ１の位置を，第２ポケット支脚部Ｂの幅広ポケットｐ２に対してずらして配置することができる。このように構成した場合には，同一方向に併設された２つの大型容器Ｃ３の上に，２つの大型容器Ｃ３を，時計方向或いは反時計方向の何方かの方向に９０度回転させても，安定した状態で，クロス積みすることができる。
【００５３】
従って，長辺側壁１ａ，１ｂ側のフランジ４が当接するとともに，同一方向に併設された２つの大型容器Ｃ３の上に，該２つの大型容器Ｃ３と同じように，長辺側壁１ａ，１ｂ側のフランジ４が当接するとともに，同一方向に併設された２つの大型容器Ｃ３を，安定的にクロス積みする場合には，上に載置される２つの大型容器Ｃ３を，上記の下に位置する２つの大型容器Ｃ３を，９０度時計方向に回転させた状態で，クロス積みすることが必要である。
【００５４】
なお，上述した実施例においては，上に載置される２つの大型容器Ｃ３の回転方向を，時計方向に９０度回転させた例が示されているが，クロス積みの際に，上に位置する大型容器Ｃ３の短辺側壁２ａ，２ｂに配設されたポケット支脚部と同一のポケット支脚部を有する，下に位置する大型容器Ｃ３の長辺側壁１ａ，１ｂ方向へ，上に載置される２つの大型容器Ｃ３を，９０度回転させることにより，上に位置する大型容器Ｃ３の角部が，上下方向にふらつくようなことがなく，安定した状態で，多段にクロス積みを行うことができることになる。
【００５５】
ところで，図２０に示されているように，ベルトコンベヤーやローラーコンベヤー等の搬送装置Ｔにより，長辺側壁１ａ，１ｂに沿って搬送されてくる上述した大型容器Ｃ３を，作業員が，搬送装置Ｔから下ろすとともに，順次，クロス積みすることが行われている。この際，上述したように，上に位置する大型容器Ｃ３の短辺側壁２ａの第１ポケット支脚部Ａの下には，下に位置する大型容器Ｃ３の長辺側壁１ｂに配設された第１ポケット支脚部Ａが位置するとともに，上に位置する大型容器Ｃ３の短辺側壁２ｂの第２ポケット支脚部Ｂの下には，下に位置する大型容器Ｃ３の長辺側壁１ａに配設された第２ポケット支脚部Ｂが位置するように，即ち，図５及び図６に示されているように，スタッキング状態に配置する必要があるが，次々に搬送されてくる大型容器Ｃ３の第１ポケット支脚部Ａや第２ポケット支脚部Ｂの位置をいちいち判別しながら，上記のように，スタッキング状態になるようにクロス積みすると，クロス積みの作業性が悪くなるとともに，人手を増やさなければならない。
【００５６】
そこで，容器の所定箇所に印を付して，該印を目安にしてクロス積みすることにより，クロス積みの作業性を向上させることができるとともに，人手を減らすことができる。
【００５７】
一例として，図１７に示されている大型容器Ｃ３の第１ポケット支脚部Ａが配設されている短辺側壁２ａ側のフランジ４や該短辺側壁２ａ側に位置する大型容器Ｃ３の半分を着色することにより，大型容器Ｃ３の第１ポケット支脚部Ａが配設されている短辺側壁２ａを他の部分から識別するように構成する。作業員は，搬送装置Ｔにより送られてくる大型容器Ｃ３を，着色された短辺側壁２ａが，例えば，図２０において，左側に位置するように，２つ併設する。次いで，２つ併設して配置された大型容器Ｃ３の上に，着色された短辺側壁２ａが上に位置するようにクロス積みする。
【００５８】
上述したように，容器の所定箇所に，着色を施したり，ラベルを貼着したりして，容器の所定箇所を識別することにより，確実に，且つ，迅速に，上に位置する容器の短辺側壁の第１ポケット支脚部Ａの下には，下に位置する容器の長辺側壁に配設された第１ポケット支脚部Ａが位置するとともに，上に位置する容器の短辺側壁の第２ポケット支脚部Ｂの下には，下に位置する容器の長辺側壁に配設された第２ポケット支脚部Ｂが位置するようにすることができ，従って，安定したクロス積みの作業性が向上することになる。
【００５９】
図２１には，短辺側壁７ａ，７ｂの長さが，長辺側壁８ａ，８ｂの長さの４倍の大型容器Ｃ５が示されている。そして，上述した容器と同様に，相対する短辺側壁７ａ，７ｂの一方の短辺側壁７ａの両端部付近には，第１ポケット支脚部Ａが配設されており，もう一方の短辺側壁７ｂの両端部付近には，第２ポケット支脚部Ｂが配設されている。そして，相対する長辺側壁８ａ，８ｂの一方の長辺側壁８ａには，その両端部付近を含め８つの第２ポケット支脚部Ｂが配設されており，もう一方の長辺側壁８ｂには，その両端部付近を含め８つの第１ポケット支脚部Ａが配設されている。上述した容器と同様に，２つの大型容器Ｃ５を，同方向に積み重ねることにより，スタッキングされ，スタッキング状態から，上に位置する大型容器Ｃ５を，水平面上を１８０度回転させることにより，ネスティングされるように構成されている。
【００６０】
また，上述したように，長辺側壁８ａ，８ｂ側のフランジ４が当接するとともに，同一方向に併設された４つの大型容器Ｃ５の上に，この状態から時計方向に９０度回転させられた４つの大型容器Ｃ５を載置することにより，上に位置する大型容器Ｃ５の短辺側壁７ａに配設された第１ポケット支脚部Ａの下には，下に位置する大型容器Ｃ５の長辺側壁８ｂに配設された第１ポケット支脚部Ａが位置するとともに，上に位置する大型容器Ｃ５の短辺側壁７ｂに配設された第２ポケット支脚部Ｂの下には，下に位置する大型容器Ｃ５の長辺側壁８ａに配設された第２ポケット支脚部Ｂが位置するようにクロス積みを行うことができる。
【００６１】
図２２に示された容器は，図２１に示されている大型容器Ｃ５の短辺側壁７ａ，７ｂの長さを，側壁９の長さとする，平面形状が正方形の小型容器Ｃ６であり，小型容器Ｃ６の一方の相対する側壁９ａ，９ｂのうち一方の側壁９ａの両端部付近には，第２ポケット支脚部Ｂが配設されており，また，もう一方の側壁９ｂの両端部付近には，第１ポケット支脚部Ａが配設されている。そして，小型容器Ｃ６のもう一方の相対する側壁９ｃ，９ｄのうち一方の側壁９ｃの両端部付近には，第１ポケット支脚部Ａが配設されており，また，もう一方の側壁９ｄの両端部付近には，第２ポケット支脚部Ｂが配設されている。そして，下に位置する大型容器Ｃ５の第１ポケット支脚部Ａの上に，上に位置する小型容器Ｃ６の第１ポケット支脚部Ａが位置し，また，下に位置する大型容器Ｃ５の第２ポケット支脚部Ｂの上に，上に位置する小型容器Ｃ６の第２ポケット支脚部Ｂが位置するように，小型容器Ｃ６を大型容器Ｃ５上に配置することにより，小型容器Ｃ６を，大型容器Ｃ５にスタッキング状態に積み重ねることができ，また，このスタッキング状態から，小型容器Ｃ６を，水平面上を１８０度回転させた後に，大型容器Ｃ５の上に載せた場合には，下に位置する大型容器Ｃ５の第１ポケット支脚部Ａの上に，上に位置する小型容器Ｃ６の第２ポケット支脚部Ｂが位置し，また，下に位置する大型容器Ｃ５の第２ポケット支脚部Ｂの上に，上に位置する小型容器Ｃ６の第１ポケット支脚部Ａが位置することになるので，小型容器Ｃ６が，大型容器Ｃ５にネスティングされることになる。
【００６２】
図２３に示されている容器は，短辺側壁１０ａ，１０ｂの長さが，上述した大型容器Ｃ５の短辺側壁７ａ，７ｂの長さ及び小型容器Ｃ６に側壁９の長さと同じで，長辺側壁１１ａ，１１ｂの長さが，大型容器Ｃ５の長辺側壁８ａ，８ｂの長さの半分及び小型容器Ｃ６に側壁９の長さの２倍になるように構成された中型容器Ｃ７である。そして，中型容器Ｃ７の相対する短辺側壁１０ａ，１０ｂの一方の短辺側壁１０ａの両端部付近には，第１ポケット支脚部Ａが配設されており，もう一方の短辺側壁１０ｂの両端部付近には，第２ポケット支脚部Ｂが配設されている。そして，相対する長辺側壁１１ａ，１１ｂの一方の長辺側壁１１ａには，その両端部付近を含め４つの第２ポケット支脚部Ｂが配設されており，もう一方の長辺側壁１１ｂには，その両端部付近を含め４つの第１ポケット支脚部Ａが配設されている。
【００６３】
下に位置する大型容器Ｃ５の第１ポケット支脚部Ａの上に，上に位置する中型容器Ｃ７の第１ポケット支脚部Ａが位置し，また，下に位置する大型容器Ｃ５の第２ポケット支脚部Ｂの上に，上に位置する中型容器Ｃ７の第２ポケット支脚部Ｂが位置するように配置することにより，下に位置する大型容器Ｃ５に中型容器Ｃ７をスタッキングすることができ，このスタッキング状態から，上に位置する中型容器Ｃ７を，水平面上を１８０度回転させることにより，下に位置する大型容器Ｃ５に中型容器Ｃ７をネスティングすることができるように構成されている。同様にして，中型容器Ｃ７同士，或いは，中型容器Ｃ７と小型容器Ｃ６とを，スタッキング或いはネスティングすることができる。
【００６４】
上述した実施例のように，同一側面に，同一のポケット支脚部を配設したことにより，同一方向では，ネスティング状態となっても落ち込む位置がなく，長短辺側壁のどちらの方向でも，スライドスタッキングが可能となる。
【００６５】
以上，本発明の実施例について説明したが，容器の大きさやクロス積みの際の下に位置する容器の数やクロス積みの際の上に位置する容器の数等は，上述した実施例に何ら限定されることない。
【００６６】
上述した実施例においては，小型容器の平面形状が正方形の場合について説明したが，小型容器の平面形状を矩形状にすることもできる。
【００６７】
【発明の効果】
本発明は、以上説明したような構成を有するので、以下に記載する効果を奏するものである。
【００６８】
上に位置する容器を，下に位置する容器に対して，スムースにスライドスタッキングすることができるとともに，安定した状態でクロス積みすることができる。
【００６９】
容器をスタッキングした際に，幅広支脚及び一対の幅狭支脚が，上下方向に連続するように構成したので，幅広支脚或いは幅狭支脚が変形したり，座屈を起こすようなことがなく，従って，安定した状態で，多数の容器を多段に積み重ねることができる。
【００７０】
長辺側壁側のフランジが当接するとともに，同一方向に併設された複数の容器の上に，上記長辺側壁側に配設されたポケット支脚部と同じポケット支脚部が配設された短辺側壁が位置するように，長辺側壁側のフランジが当接するとともに，同一方向に併設された複数の容器を回転させてクロス積みしたので，安定した状態で，多段にクロス積みすることができる。
【００７１】
容器に，容器の所定箇所を識別する印を施したので，クロス積みの作業性を向上させることができるとともに，人手を減らすことができる。
【００７２】
容器を着色することにより，容器の所定箇所を識別するようにしたので，更に，クロス積みの作業性を向上させることができるとともに，人手を減らすことができる。
【図面の簡単な説明】
【図１】図１は本発明の運搬容器の斜視図である。
【図２】図２は図１に示されている運搬容器の平面図である。
【図３】図３は本発明の運搬容器の第１ポケット支脚部付近の斜視図である。
【図４】図４は本発明の運搬容器の第２ポケット支脚部付近の斜視図である。
【図５】図５は本発明の運搬容器がスタッキング状態に配置された場合の第１ポケット支脚部付近の正面図である。
【図６】図６は本発明の運搬容器がスタッキング状態に配置された場合の第２ポケット支脚部付近の正面図である。
【図７】図７は本発明の運搬容器がネスティング状態に配置された場合の第１ポケット支脚部及び第２ポケット支脚部付近の正面図である。
【図８】図８は本発明の運搬容器がネスティング状態に配置された場合の第１ポケット支脚部及び第２ポケット支脚部付近の正面図である。
【図９】図９は本発明の運搬容器をスライドスタッキングする際の正面図である。
【図１０】図１０は同じく本発明の運搬容器をスライドスタッキングする際の正面図である。
【図１１】図１１は本発明の運搬容器の他の実施例の平面図である。
【図１２】図１２は本発明の別の実施例の運搬容器の斜視図である。
【図１３】図１３は本発明の更に別の実施例の運搬容器の斜視図である。
【図１４】図１４は図１２に示されている運搬容器の平面図である。
【図１５】図１５は同じく図１２に示されている運搬容器の平面図である。
【図１６】図１６は図１３に示されている２つの運搬容器の平面図である。
【図１７】図１７は図１２に示されている２つの運搬容器の平面図である。
【図１８】図１８は同じく図１２に示されている２つの運搬容器の平面図である。
【図１９】図１９は本発明の運搬容器がネスティング状態に配置された場合の第１ポケット支脚部及び第２ポケット支脚部付近の正面図である。
【図２０】図２０は搬送装置により搬送される運搬容器の平面図である。
【図２１】図２１は本発明の更に別の実施例の運搬容器の平面図である。
【図２２】図２２は図２１に示されている運搬容器にネスティング或いはスタッキングされる運搬容器の平面図である。
【図２３】図２３は同じく図２１に示されている運搬容器にネスティング或いはスタッキングされる運搬容器の平面図である。
【図２４】図２４は従来の運搬容器の斜視図である。
【図２５】図２５は図２４に示されている従来の運搬容器の平面図である。
【図２６】図２６は従来の運搬容器をスライドスタッキングする際の正面図である。
【符号の説明】
Ｃ・・・・・・・・運搬容器
Ａ・・・・・・・・第１ポケット支脚部
Ｂ・・・・・・・・第２ポケット支脚部
４・・・・・・・・フランジ
ｐ１，ｐ２・・・・ポケット
ｓ１，ｓ２・・・・支脚
【図１】
0003964526.tif 000002
【図２】
0003964526.tif 000003
【図３】
0003964526.tif 000004
【図４】
0003964526.tif 000005
【図５】
0003964526.tif 000006
【図６】
0003964526.tif 000007
【図７】
0003964526.tif 000008
【図８】
0003964526.tif 000009
【図９】
0003964526.tif 000010
【図１０】
0003964526.tif 000011
【図１１】
0003964526.tif 000012
【図１２】
0003964526.tif 000013
【図１３】
0003964526.tif 000014
【図１４】
0003964526.tif 000015
【図１５】
0003964526.tif 000016
【図１６】
0003964526.tif 000017
【図１７】
0003964526.tif 000018
【図１８】
0003964526.tif 000019
【図１９】
0003964526.tif 000020
【図２０】
0003964526.tif 000021
【図２１】
0003964526.tif 000022
【図２２】
0003964526.tif 000023
【図２３】
0003964526.tif 000024
【図２４】
0003964526.tif 000025
【図２５】
0003964526.tif 000026
【図２６】
0003964526.tif 000027